(57)【要約】【課題】光源の光の光強度が強いときにも光の光強度を弱くして安全な光強度の光で描画し、動作状況が報知される画像表示装置を提供する。【解決手段】人体頭部に装着される画像表示装置にかかわる。レーザー光１６を射出する右側赤色光源２８と、レーザー光１６を描画用レーザー光１６ａと報知用レーザー光１６ｂとに分岐する第１ハーフミラー３２と、描画用レーザー光１６ａを鏡に反射させ鏡を回動させて描画する走査光出力部９と、鏡の回動を制御する制御部２０と、走査光出力部９が描画中に報知用レーザー光１６ｂを拡散させて描画中の状態を報知する描画用報知部１２と、を備え、描画用レーザー光１６ａの光強度を報知用レーザー光１６ｂの光強度より弱くする。【選択図】図３
2014145889.tif 000002
【特許請求の範囲】
【請求項１】
人体頭部に装着される画像表示装置であって、
レーザー光を射出する光源と、
前記レーザー光を第１レーザー光と前記第１レーザー光の光強度と異なる第２レーザー光とに分岐する分岐部と、
前記第１レーザー光を鏡に反射させ前記鏡を回動させて描画する描画部と、
前記鏡の回動を制御する制御部と、
前記描画部が描画していることを前記第２レーザー光を拡散させて外部に報知する報知部と、を備えることを特徴とする画像表示装置。
【請求項２】
請求項１に記載の画像表示装置であって、
前記第１レーザー光の光強度は前記第２レーザー光の光強度より弱いことを特徴とする画像表示装置。
【請求項３】
請求項１または２に記載の画像表示装置であって、
前記分岐部は前記レーザー光の一部を透過させる反射膜を用いて前記レーザー光を前記第１レーザー光と前記第２レーザー光とに分岐させることを特徴とする画像表示装置。
【請求項４】
請求項１〜３のいずれか一項に記載の画像表示装置であって、
前記レーザー光は色の異なる複数の光線からなり、前記分岐部は複数の前記光線の合成と分岐とを行うことを特徴とする画像表示装置。
【請求項５】
請求項１〜４のいずれか一項に記載の画像表示装置であって、
前記第２レーザー光は赤色であることを特徴とする画像表示装置。
【請求項６】
請求項１〜５のいずれか一項に記載の画像表示装置であって、
前記レーザー光は光源用光ファイバーにより導光され、前記第１レーザー光は第１光ファイバーにより導光され、前記第２レーザー光は第２光ファイバーにより導光され、
前記分岐部では前記光源用光ファイバーの端面に前記第１光ファイバーの端面と前記第２光ファイバーの端面とが接続され、前記光源用光ファイバーの端面と接続する場所の前記第１光ファイバーの端面の面積は前記第２光ファイバーの端面の面積より狭いことを特徴とする画像表示装置。
【請求項７】
請求項１〜６のいずれか一項に記載の画像表示装置であって、
撮像装置を備え、前記報知部は前記第２レーザー光を拡散させて前記撮像装置が撮影中であることを報知することを特徴とする画像表示装置。
【請求項８】
請求項１〜７のいずれか一項に記載の画像表示装置であって、
前記第２レーザー光の光強度を弱くする減光部を備えることを特徴とする画像表示装置。
【請求項９】
請求項１〜８のいずれか一項に記載の画像表示装置であって、
前記減光部は前記第２レーザー光の光強度に対応して前記第２レーザー光を減光し前記報知部が拡散する光強度の変動を抑制することを特徴とする画像表示装置。
【請求項１０】
請求項１〜９のいずれか一項に記載の画像表示装置であって、
前記描画部を前記人体頭部に支持する支持部を備え、
前記報知部は前記人体頭部の前面及び側面から見える場所の前記支持部に設置されていることを特徴とする画像表示装置。
【請求項１１】
請求項１〜１０のいずれか一項に記載の画像表示装置であって、
前記報知部は前記人体頭部の前面から見て右側の前記側面と左側の前記側面とから見える場所の前記支持部に設置されていることを特徴とする画像表示装置。
【請求項１２】
人体頭部に装着される画像表示装置であって、
レーザー光を射出する光源と、
前記レーザー光を第１レーザー光と前記第１レーザー光の光強度と異なる第２レーザー光とに分岐する分岐部と、
前記第１レーザー光により描画する描画部と、
前記描画部が描画していることを前記第２レーザー光により外部に報知する報知部と、を備えることを特徴とする画像表示装置。
【請求項１３】
請求項１２に記載の画像表示装置であって、
前記第１レーザー光の光強度は前記第２レーザー光の光強度より弱いことを特徴とする画像表示装置。
【発明の詳細な説明】
【技術分野】
【０００１】
本発明は、画像表示装置に関するものである。
【背景技術】
【０００２】
人体の頭部に装着して使用する画像表示装置が広く活用されている。この形態の画像表示装置が特許文献１に開示されている。それによると、投影表示画像のコントラスト比を向上させるために、ＮＤフィルターに光を通したり、光ファイバーの光軸をずらすことで投影表示画像の最小輝度を下げていた。
【先行技術文献】
【特許文献】
【０００３】
【特許文献１】特開２００９−８６３６５号公報
【発明の概要】
【発明が解決しようとする課題】
【０００４】
しかしながら、特許文献１のように、例えば、光ファイバーの光軸をずらした場合、光ファイバーに入らなかった光は不要な光として捨てられており、光を効率よく利用できていない。そこで、本発明は、光を効率よく利用できる画像表示装置を提供することを目的とする。
【課題を解決するための手段】
【０００５】
本発明は、上述の課題を解決するためになされたものであり、以下の形態または適用例として実現することが可能である。
【０００６】
［適用例１］
本適用例にかかる画像表示装置は、人体頭部に装着される画像表示装置であって、レーザー光を射出する光源と、前記レーザー光を第１レーザー光と前記第１レーザー光の光強度と異なる第２レーザー光とに分岐する分岐部と、前記第１レーザー光を鏡に反射させ前記鏡を回動させて描画する描画部と、前記鏡の回動を制御する制御部と、前記描画部が描画していることを前記第２レーザー光を拡散させて外部に報知する報知部と、を備えることを特徴とする。
【０００７】
本適用例によれば、光源がレーザー光を分岐部に射出する。分岐部はレーザー光を第１レーザー光と第２レーザー光とに分岐する。分岐されたレーザー光のうち第１レーザー光は描画部を照射し、第２レーザー光は報知部を照射する。描画部は鏡を備え、第１レーザー光は鏡に照射される。制御部は鏡の回動を制御して第１レーザー光が進行する方向を変えて描画する。描画部が描画するとき報知部は第２レーザー光を拡散させて、描画中であることを報知する。描画部が描画しないとき光源はレーザー光を射出しないので第２レーザー光は拡散しない。これにより、画像表示装置が描画中であるか否かを報知することができる。従って、画像表示装置は光源が射出するレーザー光を描画と報知とに用いている為、レーザー光を効率よく利用することができる。
【０００８】
［適用例２］
上記適用例にかかる画像表示装置において、前記第１レーザー光の光強度は前記第２レーザー光の光強度より弱いことを特徴とする。
【０００９】
本適用例によれば、第１レーザー光の光強度は第２レーザー光の光強度より弱くなるように分岐されている。光源が微弱な光量のレーザー光を射出するとき、第１レーザー光の光強度が不安定となる。従って、光源は安定して射出可能な光量のレーザー光を射出する。このとき、分岐した第１レーザー光の光強度が強いとき描画された第１レーザー光により眼が損傷をうける。本適用例では第１レーザー光より第２レーザー光の光強度を強くしている。従って、光源のレーザー光の光強度が強いときにも第１レーザー光の光強度を弱くして安全な光強度の光で描画することができる。
【００１０】
［適用例３］
上記適用例にかかる画像表示装置において、前記分岐部は前記レーザー光の一部を透過させる反射膜を用いて前記レーザー光を前記第１レーザー光と第２レーザー光とに分岐させることを特徴とする。
【００１１】
本適用例によれば、分岐部は反射膜を備えている。反射膜は厚みを厚くするほど反射率が高くなり、薄くすることにより透過率が高くなる。従って、分岐部は第１レーザー光と第２レーザー光との光強度を容易に調整することができる。
【００１２】
［適用例４］
上記適用例にかかる画像表示装置において、前記レーザー光は色の異なる複数の光線からなり、前記分岐部は複数の前記光線の合成と分岐とを行うことを特徴とする。
【００１３】
本適用例によれば、光源は複数の光線からなるレーザー光を射出する。従って、描画部は多色の光で描画することができる。そして、分岐部は光線の合成と分岐とを同時に行っている。従って、光線を合成する光学系と光線を分岐する光学系とを別の光学系で行うときに比べて簡易な装置にすることができる為画像表示装置を製造し易くすることができる。
【００１４】
［適用例５］
上記適用例にかかる画像表示装置において、前記第２レーザー光は赤色であることを特徴とする。
【００１５】
本適用例によれば、第２レーザー光は赤色であり、報知部は赤色の光を拡散する。赤色の光は青色や緑色の光に比べて目立つ光である。従って、報知部は描画中の状態を目立つように報知することができる。
【００１６】
［適用例６］
上記適用例にかかる画像表示装置において、前記レーザー光は光源用光ファイバーにより導光され、前記第１レーザー光は第１光ファイバーにより導光され、前記第２レーザー光は第２光ファイバーにより導光され、前記分岐部では前記光源用光ファイバーの端面に前記第１光ファイバーの端面と前記第２光ファイバーの端面とが接続され、前記光源用光ファイバーの端面と接続する場所の前記第１光ファイバーの端面の面積は前記第２光ファイバーの端面の面積より狭いことを特徴とする。
【００１７】
本適用例によれば、光源用光ファイバーから射出されるレーザー光の一部が第１光ファイバーに入射してレーザー光の一部が第２光ファイバーに入射する。そして、第１光ファイバーの端面の面積は第２光ファイバーの端面の面積より狭くなっている。従って、第１光ファイバーに入射する第１レーザー光は第２光ファイバーに入射する第２レーザー光より弱い光強度にすることができる。
【００１８】
［適用例７］
上記適用例にかかる画像表示装置において、撮像装置を備え、前記報知部は前記第２レーザー光を拡散させて前記撮像装置が撮影中であることを報知することを特徴とする。
【００１９】
本適用例によれば、撮像装置が撮影中であるか否かを報知部が第２レーザー光を用いて報知する。第２レーザー光を用いないときには、報知用光源が必要となる。従って、撮像装置が撮影中であるかを報知するための光源を設置するときに比べて簡便な装置にすることができる為画像表示装置を製造し易くすることができる。
【００２０】
［適用例８］
上記適用例にかかる画像表示装置において、前記第２レーザー光の光強度を弱くする減光部を備えることを特徴とする。
【００２１】
本適用例によれば、減光部が第２レーザー光の光強度を調節する。従って、報知部で拡散される光がまぶしすぎることを抑制することができる。
【００２２】
［適用例９］
上記適用例にかかる画像表示装置において、前記減光部は前記第２レーザー光の光強度に対応して前記第２レーザー光を減光し前記報知部が拡散する光強度の変動を抑制することを特徴とする。
【００２３】
本適用例によれば、減光部は第２レーザー光の光強度が強いときに減光し報知部が拡散する光強度の変動を抑制する。従って、報知部が拡散する光は認識し易い光強度にすることができる。
【００２４】
［適用例１０］
上記適用例にかかる画像表示装置において、前記描画部を前記人体頭部に支持する支持部を備え、前記報知部は前記人体頭部の前面及び側面から見える場所の前記支持部に設置されていることを特徴とする。
【００２５】
本適用例によれば、報知部は支持部に設置され、人体頭部を前側から見たときに確認される。さらに、報知部は人体頭部を側面側から見たときにも確認される。従って、画像表示装置が描画中であることを報知部は人体の前面と側面とに向けて報知させることができる。
【００２６】
［適用例１１］
上記適用例にかかる画像表示装置において、前記報知部は前記人体頭部の前面から見て右側の前記側面と左側の前記側面とから見える場所の前記支持部に設置されていることを特徴とする。
【００２７】
本適用例によれば、報知部は人体頭部の前面から見て右側の側面及び左側の側面から見えるようになっている。従って、報知部は人の両側から容易に確認されるので、画像表示装置が描画中である状態を広範囲の角度にたいして報知させることができる。
【００２８】
［適用例１２］
本適用例にかかる画像表示装置は、人体頭部に装着される画像表示装置であって、レーザー光を射出する光源と、前記レーザー光を第１レーザー光と前記第１レーザー光の光強度と異なる第２レーザー光とに分岐する分岐部と、前記第１レーザー光により描画する描画部と、前記描画部が描画していることを前記第２レーザー光により外部に報知する報知部と、を備えることを特徴とする。
【００２９】
本適用例によれば、光源がレーザー光を分岐部に射出する。分岐部はレーザー光を第１レーザー光と第２レーザー光とに分岐する。分岐されたレーザー光のうち第１レーザー光は描画部を照射し、第２レーザー光は報知部を照射する。描画部は第１レーザー光により描画する。描画部が描画するとき報知部は第２レーザー光を拡散させて、描画中であることを報知する。描画部が描画しないとき光源はレーザー光を射出しないので第２レーザー光は拡散しない。これにより、画像表示装置が描画中であるか否かを報知することができる。従って、画像表示装置は光源が射出するレーザー光を描画と報知とに用いている為、レーザー光を効率よく利用することができる。
【００３０】
［適用例１３］
上記適用例にかかる画像表示装置において、前記第１レーザー光の光強度は前記第２レーザー光の光強度より弱いことを特徴とする。
【００３１】
本適用例によれば、第１レーザー光の光強度は第２レーザー光の光強度より弱くなるように分岐されている。光源が微弱な光量のレーザー光を射出するとき、第１レーザー光の光強度が不安定となる。従って、光源は安定して射出可能な光量のレーザー光を射出する。このとき、分岐した第１レーザー光の光強度が強いとき描画された第１レーザー光により眼が損傷をうける。本適用例では第１レーザー光より第２レーザー光の光強度を強くしている。従って、光源のレーザー光の光強度が強いときにも第１レーザー光の光強度を弱くして安全な光強度の光で描画することができる。
【図面の簡単な説明】
【００３２】
【図１】第１の実施形態にかかわる画像表示装置の構造を示す概略斜視図。
【図２】画像表示装置の構造を示す模式平面図。
【図３】画像表示装置の構造を示す電気制御ブロック図。
【図４】（ａ）は走査光出力部の構造を示す模式側断面図、（ｂ）は走査部の構造を示す模式平面図。
【図５】（ａ）は報知部の構造を示す模式断面図、（ｂ）は可変式ＮＤフィルターの構造を示す模式断面図、（ｃ）は円板フィルターの構造を示す模式平面図。
【図６】（ａ）は可変式ＮＤフィルターに入力されるレーザー光の光強度と円板フィルターの減衰率との関係を示すグラフ、（ｂ）は可変式ＮＤフィルターに入力されるレーザー光の光強度と可変式ＮＤフィルターから出力される出力光の光強度との関係を示すグラフ。
【図７】第２の実施形態にかかわり、（ａ）は分岐部の構造を示す模式側断面図、（ｂ）は分岐部の構造を示す模式平断面図、（ｃ）は分岐部の構造を示す模式側断面図。
【図８】第３の実施形態にかかわる画像表示装置の構造を示す電気制御ブロック図。
【図９】第４の実施形態にかかわり画像表示装置の構造を示す模式平面図。
【図１０】第５の実施形態にかかわる画像表示装置の構造を示す電気制御ブロック図。
【図１１】基体部に設置された報知部の位置を説明するための模式図。
【図１２】第６の実施形態にかかわり、（ａ）、（ｂ）、（ｃ）は描画用報知部が設置された場所を説明するための模式平面図。
【図１３】第７の実施形態にかかわり、（ａ）、（ｂ）、（ｃ）は描画用報知部の構造を示す模式側断面。
【発明を実施するための形態】
【００３３】
本実施形態では、画像表示装置の特徴的な例について、図１〜図１３に従って説明する。以下、実施形態について図面に従って説明する。尚、各図面における各部材は、各図面上で認識可能な程度の大きさとするため、各部材毎に縮尺を異ならせて図示している。
（第１の実施形態）
第１の実施形態にかかわる画像表示装置について図１〜図６に従って説明する。図１は、画像表示装置の構造を示す概略斜視図である。図１に示すように、画像表示装置１は観察者２の頭部２ａに装着される。画像表示装置１は眼鏡のフレームに類似した形状の支持部としての基体部３を備えている。基体部３はつる部３ａ及び枠部３ｂを備えている。
【００３４】
つる部３ａは頭部２ａに装着したときに頭部２ａの側面に位置し、観察者２の頭部２ａと耳２ｂとに挟まれて設置される。基体部３の両端にはそれぞれつる部３ａが設けられ、つる部３ａは頭部２ａの左右に設置される。枠部３ｂは２つのつる部３ａの間に設置されている。枠部３ｂは頭部２ａに装着したときに頭部２ａの前面に位置し、観察者２の目２ｃと対向する場所に位置する。枠部３ｂとつる部３ａとの間には蝶番が設置されている。これにより、つる部３ａは枠部３ｂに対して折りたたむことが可能になっている。枠部３ｂには一対の鼻当て４が設置され、鼻当て４は観察者２の鼻２ｄと接する。基体部３では鼻当て４とつる部３ａとが頭部２ａと接触し、基体部３は鼻当て４とつる部３ａとにより支えられる。
【００３５】
つる部３ａの一方にはケーブル５が接続され、ケーブル５には表示制御装置６が接続されている。ケーブル５には電気配線及び光ファイバーが内蔵されている。表示制御装置６はケーブル７を介して映像録再装置８と接続されている。
【００３６】
基体部３には図中鼻当て４の上側に一対の描画部としての走査光出力部９が設置され、目２ｃと対向する場所に一対の描画部としてのハーフミラー１０が設置されている。他にも基体部３には一対の走査光出力部９の間に撮像装置１１が設置され、撮像装置１１にはマイクロフォン１１ａが内蔵されている。枠部３ｂとつる部３ａとが接続する場所の付近には基体部３の図中上側に円柱形の報知部としての描画用報知部１２が設置されている。詳しくは、描画用報知部１２は頭部２ａの前面及び側面から見える場所の基体部３に設置されている。描画用報知部１２は頭部２ａの前面から見て右側の側面から見える場所と左側の側面から見える場所との基体部３に設置されている。
【００３７】
図２は画像表示装置の構造を示す模式平面図である。図２に示すように、頭部２ａと各つる部３ａとの間には骨伝導スピーカー１３が設置されている。つる部３ａ及び枠部３ｂの内部にはケーブル５に続く電気配線１４及び光ファイバー１５が設置されている。走査光出力部９、骨伝導スピーカー１３及び撮像装置１１は電気配線１４に接続され、表示制御装置６により駆動される。
【００３８】
走査光出力部９及び描画用報知部１２は光ファイバー１５に接続され、表示制御装置６からレーザー光１６が供給される。走査光出力部９はレーザー光１６を上下左右に走査してハーフミラー１０に射出する。射出されたレーザー光はハーフミラー１０で反射し観察者２の目２ｃに向かって進行する。観察者２は画像表示装置１によって形成される虚像を観察する。
【００３９】
図３は画像表示装置の構造を示す電気制御ブロック図である。図３に示すように画像表示装置１が備える表示制御装置６には入出力部１７が設置され、入出力部１７には映像録再装置８が接続されている。映像録再装置８は記憶装置を備え、記憶装置には映像データ、静止画像データ及び音声データが記憶されている。そして、映像録再装置８は入出力部１７に映像データや静止画像データを出力する。画像表示装置１が入出力部１７から映像データ、静止画像データ及び音声データを出力するときには映像録再装置８は映像データ、静止画像データ及び音声データを入力して記憶装置に記憶する。
【００４０】
入出力部１７には図示しないコネクター、スイッチや可変抵抗器が設置されている。コネクターにはケーブル７が接続される。スイッチは複数設置され、各スイッチは画像表示装置１の電源の入切、音声出力の入切等を入力するための部位である。可変抵抗器は複数設置され、各可変抵抗器は映像の輝度調整、描画用報知部１２の輝度調整、骨伝導スピーカー１３の音量調整、等に用いられる。
【００４１】
入出力部１７には制御部２０が接続されている。制御部２０には光源駆動部２１、走査駆動部２２、減光駆動部２３、スピーカー駆動部２４及び撮像駆動部２５等が接続され、制御部２０は各部位の動作を制御する。具体的には入出力部１７が映像録再装置８から映像信号を入力するとき映像の輝度信号と可変抵抗器に入力された輝度調整信号を光源駆動部２１に出力する。さらに、映像信号を入力するとき映像の走査信号を走査駆動部２２に出力する。他にも、映像信号のうち赤色の輝度信号を減光駆動部２３に出力する。
【００４２】
光源駆動部２１には右側緑色光源２６、右側青色光源２７、光源としての右側赤色光源２８、左側緑色光源２９、左側青色光源３０及び左側赤色光源３１が接続されている。右側緑色光源２６、右側青色光源２７及び右側赤色光源２８は右目２ｅにレーザー光１６を射出する走査光出力部９にレーザー光１６を供給する。左側緑色光源２９、左側青色光源３０及び左側赤色光源３１は左目２ｆにレーザー光１６を射出する走査光出力部９にレーザー光１６を供給する。
【００４３】
映像信号がステレオ画像用の信号のとき、映像信号は右目２ｅが見るための右目用映像信号と左目２ｆが見るための左目用映像信号とを有している。映像信号がカラー画像用の信号のとき右目用映像信号及び左目用映像信号はそれぞれ緑色信号、青色信号及び赤色信号から構成されている。
【００４４】
光源駆動部２１は右側緑色光源２６〜左側赤色光源３１の各光源に映像信号に応じた電力を出力する。詳細には右目用映像信号のうち緑色信号に応じた電力が右側緑色光源２６に出力され、青色信号に応じた電力が右側青色光源２７に出力される。右目用映像信号のうち赤色信号に応じた電力が右側赤色光源２８に出力される。同様に、左目用映像信号のうち緑色信号に応じた電力が左側緑色光源２９に出力され、青色信号に応じた電力が左側青色光源３０に出力される。左目用映像信号のうち赤色信号に応じた電力が左側赤色光源３１に出力される。
【００４５】
右側緑色光源２６及び右側青色光源２７にはＮＤ（ニュートラルデンシティ）フィルターが内蔵されている。ＮＤフィルターの減衰率は特に限定されないが本実施形態では、発光する光量のうち約１／１００００の光量のレーザー光１６が射出される。右側赤色光源２８からは発光する光量が総て射出される。
【００４６】
右側赤色光源２８が射出するレーザー光１６は分岐部としての第１ハーフミラー３２を照射する。第１ハーフミラー３２では右側赤色光源２８が射出するレーザー光１６の一部が反射して進行方向を変え第１レーザー光としての描画用レーザー光１６ａとなる。右側赤色光源２８が射出するレーザー光１６と描画用レーザー光１６ａとの光量の比率は特に限定されないが本実施形態では約１／５０００００〜１／１００００００の光量となっている。例えば、本実施形態では右側赤色光源２８が射出するレーザー光１６の光強度が１００〜１５０ｍＷであり描画用レーザー光１６ａの光強度は２００〜３００ｎＷになっている。残りの光量の第２レーザー光としての報知用レーザー光１６ｂは直進して減光部としての可変式ＮＤフィルター３３を照射する。従って、描画用レーザー光１６ａが第１ハーフミラー３２から射出されるときには報知用レーザー光１６ｂも第１ハーフミラー３２から射出される。描画用レーザー光１６ａの光強度は報知用レーザー光１６ｂの光強度より弱い光強度となっている。可変式ＮＤフィルター３３は透過する報知用レーザー光１６ｂの減衰させる部位であり、可変式ＮＤフィルター３３の減衰率の切り替えは減光駆動部２３によって駆動される。
【００４７】
可変式ＮＤフィルター３３を通過した報知用レーザー光１６ｂは集光レンズ３４を照射する。集光レンズ３４を通過した報知用レーザー光１６ｂは第２光ファイバーとしての報知用光ファイバー１５ａを照射する。集光レンズ３４は報知用レーザー光１６ｂを報知用光ファイバー１５ａの端面の中心に集光する。これにより、集光レンズ３４は報知用レーザー光１６ｂを少ない損失で報知用光ファイバー１５ａに導くことができる。
【００４８】
報知用光ファイバー１５ａにおいて集光レンズ３４の反対側の端には描画用報知部１２が設置されている。この描画用報知部１２は右目２ｅの近くの基体部３に設置されている。報知用光ファイバー１５ａにより導光された報知用レーザー光１６ｂは描画用報知部１２にて拡散される。描画用報知部１２を見る人は観察者２が映像を観察していることを知ることができる。
【００４９】
第１ハーフミラー３２にて反射した赤色の描画用レーザー光１６ａは分岐部としての第２ハーフミラー３５を照射し一部が第２ハーフミラー３５を通過する。右側青色光源２７が射出する青色のレーザー光１６も第２ハーフミラー３５を照射し一部が第２ハーフミラー３５で反射し進行方向を変える。第２ハーフミラー３５を通過した赤色の描画用レーザー光１６ａと第２ハーフミラー３５で反射した青色の描画用レーザー光１６ａは合成され共に分岐部としての第３ハーフミラー３６を照射する。
【００５０】
第３ハーフミラー３６を照射した赤色及び青色の描画用レーザー光１６ａの一部はともに反射して集光レンズ３７を照射する。右側緑色光源２６が出力する緑色のレーザー光１６も第３ハーフミラー３６を照射し一部が第３ハーフミラー３６を通過して集光レンズ３７を照射する。集光レンズ３７を照射する赤色、青色及び緑色の描画用レーザー光１６ａは合成され、集光レンズ３７は第１光ファイバーとしての描画用光ファイバー１５ｂの端面の中心に集光する。これにより、集光レンズ３７は描画用レーザー光１６ａを少ない損失で描画用光ファイバー１５ｂに導くことができる。
【００５１】
第１ハーフミラー３２〜第３ハーフミラー３６は分岐部を構成し、各ミラーには反射膜が設置されている。従って、反射膜を用いて右側緑色光源２６〜右側赤色光源２８が出力するレーザー光１６を描画用レーザー光１６ａと報知用レーザー光１６ｂとに分離している。反射膜は厚みを厚くするほど反射率が高くなり、薄くすることにより透過率が高くなる。従って、第１ハーフミラー３２では描画用レーザー光１６ａと報知用レーザー光１６ｂとの光強度を容易に調整することができる。
【００５２】
描画用光ファイバー１５ｂにおいて集光レンズ３７の反対側の端には走査光出力部９が設置されている。描画用光ファイバー１５ｂにより導光された描画用レーザー光１６ａは走査光出力部９を照射する。走査光出力部９には鏡が設置され、走査光出力部９は鏡を上下左右に回動する。走査光出力部９を照射する描画用レーザー光１６ａは走査光出力部９により進行方向を変えられてハーフミラー１０を照射する。走査駆動部２２が走査光出力部９における鏡の回動を制御することにより、描画用レーザー光１６ａはハーフミラー１０上を走査する。ハーフミラー１０で反射する描画用レーザー光１６ａは右目２ｅを照射する。
【００５３】
右目２ｅを照射する描画用レーザー光１６ａは映像信号に基づいて輝度が変調されハーフミラー１０を走査している。これにより、観察者２はハーフミラー１０に描画された虚像を観察することができる。
【００５４】
左側緑色光源２９〜左側赤色光源３１が出力するレーザー光１６が左目２ｆに到達する経路は右側緑色光源２６〜右側赤色光源２８が出力するレーザー光１６が右目２ｅに到達する経路と同様の経路になっており、説明を省略する。
【００５５】
入出力部１７が映像録再装置８から音声信号を入力するとき、制御部２０は音声信号と可変抵抗器に入力された音量調整信号をスピーカー駆動部２４に出力する。スピーカー駆動部２４は音声信号を音量調整信号に応じて増幅した駆動信号を出力する。スピーカー駆動部２４には一対の骨伝導スピーカー１３が接続され、骨伝導スピーカー１３は駆動信号により駆動される。
【００５６】
撮像駆動部２５には撮像装置１１及びマイクロフォン１１ａが接続されている。撮像駆動部２５は撮像装置１１を駆動して撮影し映像信号を出力する。撮像駆動部２５はマイクロフォン１１ａを駆動して音を音声信号に変換する。撮像駆動部２５が制御部２０に映像信号及び音声信号を出力するとき、制御部２０は入出力部１７を介して映像録再装置８に映像信号及び音声信号を出力する。映像録再装置８は映像信号及び音声信号を入力して記憶する。
【００５７】
図４（ａ）は走査光出力部の構造を示す模式側断面図であり、図４（ｂ）は走査部の構造を示す模式平面図である。図４（ａ）に示すように、走査光出力部９は基台４０を備え、基台４０の内部が空洞になっている。基台４０図中上側には上下方向が軸となる孔が設置され、この孔に描画用光ファイバー１５ｂが挿入されて固定されている。描画用光ファイバー１５ｂの図中下側にはカップリングレンズ４１が設置され、描画用光ファイバー１５ｂから射出される描画用レーザー光１６ａはカップリングレンズ４１を通過する。
【００５８】
カップリングレンズ４１は描画用光ファイバー１５ｂから射出された描画用レーザー光１６ａのスポット径を調整する。さらに、カップリングレンズ４１は描画用レーザー光１６ａを平行にするコリメートレンズの機能を備えている。カップリングレンズ４１の図中下側には走査部４２が設置されている。走査部４２はカップリングレンズ４１を向く面の中央が鏡４２ａになっている。カップリングレンズ４１を通過する描画用レーザー光１６ａは鏡４２ａを照射し鏡４２ａにて反射し進行方向が変えられる。
【００５９】
走査部４２の鏡と反対側の面には一対の支持部４２ｆを介して磁石４３が設置されている。走査部４２に対して磁石４３が設置された側では基台４０に電磁石４４が設置され、電磁石４４は磁石４３に引力または斥力を作用する。制御部２０は走査駆動部２２から電磁石４４に鋸刃状の垂直走査波形４５と正弦波状の水平走査波形４６との電流を供給させて走査部４２を駆動する。水平走査波形４６の周波数は垂直走査波形４５の周波数より高くなるように波形が形成されている。
【００６０】
描画用レーザー光１６ａが鏡４２ａに反射して進行する方向には集光レンズ４７が設置されている。集光レンズ４７は非球面レンズとなっている。描画用レーザー光１６ａは集光レンズ４７を通過してハーフミラー１０にて反射する。そして、ハーフミラー１０にて反射した描画用レーザー光１６ａが平行光になるように集光レンズ４７は描画用レーザー光１６ａを集光する。
【００６１】
図４（ｂ）に示すように走査部４２の中央に位置する鏡４２ａは図中上下方向に設置された第１梁４２ｂによって支持されている。これにより鏡４２ａは第１梁４２ｂを軸にして回動する。第１梁４２ｂは鏡４２ａの周囲に位置する円環状の第１支持枠４２ｃに固定されている。第１支持枠４２ｃには支持部４２ｆが２つ設置され、支持部４２ｆは磁石４３の両端を支持している。第１支持枠４２ｃは図中左右方向に設置された第２梁４２ｄによって支持されている。これにより第１支持枠４２ｃは第２梁４２ｄを軸にして回動する。第２梁４２ｄは第１支持枠４２ｃの周囲に位置する四角形状の第２支持枠４２ｅに固定され、第２支持枠４２ｅは基台４０に固定されている。
【００６２】
電磁石４４に垂直走査波形４５及び水平走査波形４６の電流を流す。第１梁４２ｂを軸にして回動する鏡４２ａの固有振動数は水平走査波形４６の振動数となっている。これにより、鏡４２ａは水平走査波形４６に追従して第１梁４２ｂを軸にして回動する。第２梁４２ｄを軸にして回動する第１支持枠４２ｃ及び鏡４２ａの固有振動数は垂直走査波形４５の振動数となっている。これにより、鏡４２ａは垂直走査波形４５に追従して第２梁４２ｄを軸にして回動する。
【００６３】
第１梁４２ｂを軸にして回動する軸方向と第２梁４２ｄを軸にして回動する軸方向とは直交する方向となっている。そして、鏡４２ａが第２梁４２ｄを軸にして回動するときレーザー光１６がハーフミラー１０を照射する位置は観察者２に対して上下方向に移動する。よって、レーザー光１６は垂直走査される。鏡４２ａが第１梁４２ｂを軸にして回動するときレーザー光１６がハーフミラー１０を照射する位置は観察者２に対して左右方向に移動する。よって、レーザー光１６は水平走査される。鏡４２ａによってレーザー光１６は水平走査波形４６に追従して水平走査し、垂直走査波形４５に追従して垂直走査する。
【００６４】
図５（ａ）は報知部の構造を示す模式断面図である。図５（ａ）に示すように、描画用報知部１２は円筒状の基部４８を備え、基部４８は図中上下方向に貫通する孔が形成されている。その孔に報知用光ファイバー１５ａが挿入され固定されている。報知用光ファイバー１５ａから図中上側に向けて報知用レーザー光１６ｂが射出される。報知用光ファイバー１５ａの図中上側には拡散板４９が設置されている。拡散板４９は表面に凹凸が多数形成され、報知用レーザー光１６ｂは拡散板４９を通過するときに進行方向が拡散する。拡散板４９の図中上側は円柱形の空間があり、この空間を覆って外装部５０が設置されている。外装部５０は有底円筒形状をしており内面に凹凸が多数形成されている。従って、報知用レーザー光１６ｂは外装部５０を通過するときに進行方向がさらに拡散する。これにより、レーザー光１６の光強度の分布は山形から球形に近づく。
【００６５】
図５（ｂ）は可変式ＮＤフィルターの構造を示す模式断面図であり、図５（ｃ）は円板フィルターの構造を示す模式平面図である。図５（ｂ）に示すように、可変式ＮＤフィルター３３は直方体状の基台５１を備えている。基台５１には２つの貫通孔が形成され、１つには光源側光ファイバー１５ｃが挿入され固定されている。もう１つの孔にはモーター５２が設置されている。モーター５２はステップモーターであり回転角度が減光駆動部２３によって制御される。モーター５２の回転軸５２ａには円板状の円板フィルター５３が設置され、円板フィルター５３は光源側光ファイバー１５ｃと対向する場所に位置している。そして、光源側光ファイバー１５ｃが射出する報知用レーザー光１６ｂは円板フィルター５３を照射する。
【００６６】
円板フィルター５３を挟んで光源側光ファイバー１５ｃと対向する場所には集光レンズ３４が配置されている。円板フィルター５３に照射された報知用レーザー光１６ｂは円板フィルター５３を通過して集光レンズ３４を照射する。集光レンズ３４に対して円板フィルター５３の反対側には報知用光ファイバー１５ａが配置されている。そして、集光レンズ３４に照射された報知用レーザー光１６ｂは集光レンズ３４を通過して報知用光ファイバー１５ａの端面に集光される。報知用光ファイバー１５ａに集光された報知用レーザー光１６ｂは報知用光ファイバー１５ａの内部を進行する。
【００６７】
図５（ｃ）に示すように、円板フィルター５３は回転軸５２ａを中心とし、周方向の場所により通過する報知用レーザー光１６ｂの減衰率が変化するフィルターである。従って、モーター５２が円板フィルター５３を回転させるとき、回転角度に応じて円板フィルター５３を通過するレーザー光１６の減衰率を制御することができる。
【００６８】
図６（ａ）は可変式ＮＤフィルターに照射されるレーザー光の光強度と円板フィルターの減衰率との関係を示すグラフである。図６（ｂ）は可変式ＮＤフィルターに照射されるレーザー光の光強度と可変式ＮＤフィルターから射出される出力光の光強度との関係を示すグラフである。
【００６９】
図６（ａ）において、横軸は入力光の光強度を示し、右側が左側より強い光強度となっている。横軸の光強度は光源側光ファイバー１５ｃから可変式ＮＤフィルター３３に照射される報知用レーザー光１６ｂの光強度を示す。縦軸は可変式ＮＤフィルター３３が報知用レーザー光１６ｂを減衰させる減衰率を示している。減衰率は上側が下側より大きな減衰率となっている。そして、円板フィルター５３を照射するレーザー光１６を入力光とする。減衰率線５４は入力光の光強度と減衰率との関係を示す。
【００７０】
減衰率線５４に示すように、入力光の光強度が強度判定値５５より弱いときには可変式ＮＤフィルター３３は入力光を減衰させない。入力光の光強度が強度判定値５５より強いときには可変式ＮＤフィルター３３は入力光と比例して入力光を減衰させる。
【００７１】
右側赤色光源２８が出力する光量の指示データを制御部２０が光源駆動部２１及び減光駆動部２３に出力する。減光駆動部２３は光量の指示データと所定のパラメーターとで四則演算を行い、入力光の光強度の予測値を算出する。次に、減衰率線５４と入力光の光強度の予測値とに基づいて可変式ＮＤフィルター３３の減衰率を算出する。次に、報知用レーザー光１６ｂが通過する場所の円板フィルター５３の減衰率が算出した減衰率となるように減光駆動部２３は可変式ＮＤフィルター３３のモーター５２を回動する。このようにして可変式ＮＤフィルター３３はレーザー光１６を減衰させる。
【００７２】
図６（ｂ）において、横軸は入力光の光強度を示し、右側が左側より強い光強度となっている。円板フィルター５３を通過したレーザー光１６を出力光とする。縦軸は出力光の光強度を示し、上側が下側より強い光強度となっている。縦軸の光強度は可変式ＮＤフィルター３３から報知用光ファイバー１５ａに出力される報知用レーザー光１６ｂの光強度を示す。
【００７３】
光強度相関線５６は入力光の光強度と出力光の光強度との関係を示している。光強度相関線５６にしめすように、入力光が強度判定値５５以下のとき出力光は減衰されないので、出力光は入力光と同じ光強度となる。入力光が強度判定値５５を超えるとき出力光は減衰される。これにより、出力光は強度判定値５５の光強度に維持される。そして、描画用報知部１２から拡散される報知用レーザー光１６ｂは光強度が所定の強さを超えないように制限される。
【００７４】
左側赤色光源３１から出力されるレーザー光１６も可変式ＮＤフィルター３３を通過する。この可変式ＮＤフィルター３３は右側赤色光源２８から出力されるレーザー光１６と同様な方法で報知用レーザー光１６ｂを減衰させる。従って、左側の描画用報知部１２から拡散される報知用レーザー光１６ｂも光量が所定の強さを超えないように制限される。
【００７５】
上述したように、本実施形態によれば、以下の効果を有する。
（１）本実施形態によれば、走査光出力部９及びハーフミラー１０が虚像を描画するとき描画用報知部１２は報知用レーザー光１６ｂを拡散させて、描画中であることを報知する。これにより、画像表示装置１が描画中であるか否かを報知することができる。
【００７６】
（２）本実施形態によれば、描画用レーザー光１６ａは報知用レーザー光１６ｂより弱くなるように分岐されている。右側緑色光源２６〜左側赤色光源３１が微弱な光強度のレーザー光１６を射出するとき、光強度が不安定となる。従って、右側緑色光源２６〜左側赤色光源３１は光強度が安定する程度の光強度のレーザー光１６を射出する。このとき、分岐した描画用レーザー光１６ａの光強度が強いとき描画用レーザー光１６ａにより眼が損傷をうける。本実施形態では描画用レーザー光１６ａより報知用レーザー光１６ｂの光強度を強くしている。従って、右側緑色光源２６〜左側赤色光源３１のレーザー光１６の光量が強いときにも描画用レーザー光１６ａの光強度を弱くして安全な光強度の描画用レーザー光１６ａで描画することができる。
【００７７】
（３）本実施形態によれば、第１ハーフミラー３２には反射膜が設置されている。反射膜は厚みを厚くするほど反射率が高くなり、薄くすることにより透過率が高くなる。従って、第１ハーフミラー３２は描画用レーザー光１６ａと報知用レーザー光１６ｂとの光強度を容易に調整することができる。
【００７８】
（４）本実施形態によれば、右側緑色光源２６〜右側赤色光源２８はそれぞれ緑色、青色、赤色のレーザー光１６を射出する。そして、反射膜が設置された第１ハーフミラー３２〜第３ハーフミラー３６を用いて描画用レーザー光１６ａの合成と報知用レーザー光１６ｂの分岐とを同時に行っている。従って、描画用レーザー光１６ａを合成する光学系と報知用レーザー光１６ｂを分岐する光学系とを別の光学系で行うときに比べて簡単な構成の装置にすることができる。
【００７９】
（５）本実施形態によれば、報知用レーザー光１６ｂは赤色であり、描画用報知部１２は赤色の光を拡散する。赤色の光は青色や緑色に比べて目立つ色である。従って、描画用報知部１２は描画中の状態を目立つように報知することができる。
【００８０】
（６）本実施形態によれば、可変式ＮＤフィルター３３が報知用レーザー光１６ｂの光強度を調節する。従って、描画用報知部１２で拡散される光がまぶしすぎることを抑制することができる。
【００８１】
（７）本実施形態によれば、可変式ＮＤフィルター３３は報知用レーザー光１６ｂの光強度が強いときに減光し描画用報知部１２が拡散する報知用レーザー光１６ｂの光強度の変動を抑制する。従って、描画用報知部１２が拡散する報知用レーザー光１６ｂを認識し易い光強度にすることができる。
【００８２】
（８）本実施形態によれば、描画用報知部１２は基体部３に設置され、頭部２ａを前側から見たときに確認される。さらに、描画用報知部１２は頭部２ａを側面側から見たときにも確認される。従って、画像表示装置１が描画中であることを描画用報知部１２は観察者２の前面と側面とに向けて報知させることができる。
【００８３】
（９）本実施形態によれば、描画用報知部１２は頭部２ａの前面から見て右側の側面及び左側の側面から見えるようになっている。従って、描画用報知部１２は観察者２の両側から容易に確認されるので、画像表示装置１が描画中である状態を広範囲の角度において報知させることができる。
【００８４】
（第２の実施形態）
次に、画像表示装置の一実施形態について図７を用いて説明する。本実施形態が第１の実施形態と異なるところは、第１ハーフミラー３２の形態が異なる点にある。尚、第１の実施形態と同じ点については説明を省略する。
【００８５】
図７（ａ）は分岐部の構造を示す模式側断面図である。すなわち、本実施形態では図７（ａ）に示すように、第１ハーフミラー３２の代わりに分岐部５９が用いられている。分岐部５９は直方体状の基体部６０を備えている。基体部６０には図中上側から基体部６０の厚みの半分の深さまで孔が形成され、この孔に光源用光ファイバー６１が挿入され固定されている。光源用光ファイバー６１は図中下側の端面が平坦に形成されている。光源用光ファイバー６１には右側赤色光源２８からレーザー光１６が照射される。
【００８６】
基体部６０には図中下側から光源用光ファイバー６１に到達する深さまで２つの孔が形成されている。この２つの孔は径方向で繋がっている。そして、図中右側の孔には報知用光ファイバー１５ａが設置され、図中左側の孔には描画用光ファイバー１５ｂが設置されている。報知用光ファイバー１５ａ及び描画用光ファイバー１５ｂは基体部６０に固定されている。報知用光ファイバー１５ａ及び描画用光ファイバー１５ｂは図中上側の端面が平坦に形成されている。そして、光源用光ファイバー６１の図中下側を向く端面は報知用光ファイバー１５ａ及び描画用光ファイバー１５ｂの図中上側の端面と接触している。各端面の間には光透過性のある樹脂等を設置して屈折率が急激に変わらないようにするのが好ましい。これにより端面でレーザー光１６が反射することを防止することができる。
【００８７】
図７（ｂ）は分岐部の構造を示す模式平断面図であり、図７（ａ）のＡ−Ａ’線に沿う断面から見た図である。図７（ｂ）に示すように、報知用光ファイバー１５ａと描画用光ファイバー１５ｂとは接触する場所が平面に形成され、互いに接触して配置されている。そして、光源用光ファイバー６１の端面が描画用光ファイバー１５ｂの端面と重なる場所の面積は光源用光ファイバー６１の端面が報知用光ファイバー１５ａの端面と重なる場所の面積より狭くなっている。
【００８８】
これにより、光源用光ファイバー６１を通過するレーザー光１６は報知用光ファイバー１５ａと描画用光ファイバー１５ｂとに分岐する。そして、描画用光ファイバー１５ｂに入力されるレーザー光１６の光強度は報知用光ファイバー１５ａに入力されるレーザー光１６の光強度より弱くなる。光源用光ファイバー６１を通過するレーザー光１６の光強度はガウス分布となっている。そして、光源用光ファイバー６１の中心が最も光強度の強い場所である。この光強度の強い場所には報知用光ファイバー１５ａが接している。これにより、描画用光ファイバー１５ｂに入力されるレーザー光１６の光強度は報知用光ファイバー１５ａに入力されるレーザー光１６の光強度より弱くなる。
【００８９】
レーザー光１６を分岐する分岐部の別の形態を紹介する。図７（ｃ）は分岐部の構造を示す模式側断面図である。すなわち、図７（ｃ）に示すように、第１ハーフミラー３２の代わりに分岐部６２が用いられている。分岐部６２は直方体状の基体部６３を備えている。基体部６３には中央に空洞６３ａが形成されている。図中上側から基体部６３の空洞６３ａに向けて孔が形成され、この孔に光源用光ファイバー６１が挿入され固定されている。光源用光ファイバー６１は図中下側の端面が平坦に形成されている。光源用光ファイバー６１には右側赤色光源２８からレーザー光１６が照射される。
【００９０】
基体部６３には図中下側から空洞６３ａに向けて２つの孔が形成されている。そして、図中右側の孔には報知用光ファイバー１５ａが設置され、図中左側の孔には描画用光ファイバー１５ｂが設置されている。報知用光ファイバー１５ａ及び描画用光ファイバー１５ｂは基体部６３に固定されている。報知用光ファイバー１５ａ及び描画用光ファイバー１５ｂは図中上側の端面が平坦に形成されている。
【００９１】
そして、光源用光ファイバー６１の図中下側を向く端面から報知用光ファイバー１５ａの図中上側を向く端面の間に第２光ファイバーとしての報知用接続光ファイバー６４が設置されている。光源用光ファイバー６１の図中下側を向く端面から描画用光ファイバー１５ｂの図中上側を向く端面の間に第１光ファイバーとしての描画用接続光ファイバー６５が設置されている。各端面の間には光透過性のある接着剤等を設置して屈折率が急激に変わらないようにするのが好ましい。これにより端面でレーザー光１６が反射することを防止することができる。
【００９２】
光源用光ファイバー６１の端面が描画用接続光ファイバー６５の端面と重なる場所の面積は光源用光ファイバー６１の端面が報知用接続光ファイバー６４の端面と重なる場所の面積より狭くなっている。これにより、光源用光ファイバー６１を通過するレーザー光１６は報知用光ファイバー１５ａと描画用光ファイバー１５ｂとに分岐する。そして、描画用光ファイバー１５ｂに入力されるレーザー光１６の光強度は報知用光ファイバー１５ａに入力されるレーザー光１６の光強度より弱くなる。そして、光源用光ファイバー６１の中心が最も光強度の強い場所である。この光強度の強い場所には報知用接続光ファイバー６４が接している。これにより、描画用接続光ファイバー６５に入力されるレーザー光１６の光強度は報知用接続光ファイバー６４に入力されるレーザー光１６の光強度より弱くなる。
【００９３】
上述したように、本実施形態によれば、以下の効果を有する。
（１）本実施形態によれば、分岐部５９では光源用光ファイバー６１から射出されるレーザー光１６の一部が報知用光ファイバー１５ａに入射してレーザー光１６の一部が描画用光ファイバー１５ｂに入射する。そして、描画用光ファイバー１５ｂの端面の面積は報知用光ファイバー１５ａの端面の面積より狭くなっている。従って、描画用光ファイバー１５ｂに入射する描画用レーザー光１６ａは報知用光ファイバー１５ａに入射する報知用レーザー光１６ｂより弱い光強度にすることができる。そして、光源用光ファイバー６１に対する報知用光ファイバー１５ａと描画用光ファイバー１５ｂとの位置関係を調整することにより、描画用レーザー光１６ａと報知用レーザー光１６ｂとの比率を容易に調整することができる。
【００９４】
（２）本実施形態によれば、分岐部６２では光源用光ファイバー６１から射出されるレーザー光１６の一部が報知用光ファイバー１５ａに入射してレーザー光１６の一部が描画用光ファイバー１５ｂに入射する。そして、光源用光ファイバー６１と接続する描画用接続光ファイバー６５の端面の面積は報知用接続光ファイバー６４の端面の面積より狭くなっている。従って、描画用光ファイバー１５ｂに入射する描画用レーザー光１６ａは報知用光ファイバー１５ａに入射する報知用レーザー光１６ｂより弱い光強度にすることができる。そして、光源用光ファイバー６１に接する報知用接続光ファイバー６４と描画用接続光ファイバー６５との面積を調整することにより、描画用レーザー光１６ａと報知用レーザー光１６ｂとの比率を容易に調整することができる。
【００９５】
（第３の実施形態）
次に、画像表示装置の一実施形態について図８を用いて説明する。本実施形態が第１の実施形態と異なるところは、分岐部及び可変式ＮＤフィルター３３が表示制御装置６から基体部３に移動した点にある。尚、第１の実施形態と同じ点については説明を省略する。
【００９６】
図８は画像表示装置の構造を示す電気制御ブロック図である。すなわち、本実施形態では図８に示すように、画像表示装置６８は表示制御装置６９及び基体部７０を備えている。画像表示装置６８には右側緑色光源２６、右側青色光源２７及び右側赤色光源２８が設置されている。各光源が射出するレーザー光１６は第１ハーフミラー３２、第２ハーフミラー３５及び第３ハーフミラー３６により合成される。合成されたレーザー光１６は集光レンズ３７により集光されて光源用光ファイバー７１に入射される。光源用光ファイバー７１は表示制御装置６９と基体部７０との間でレーザー光１６を伝送する。表示制御装置６９と基体部７０とを接続する光源用光ファイバー７１及び電線は図示しないチューブ内に収納される。
【００９７】
基体部７０には分岐部７２が設置され、光源用光ファイバー７１は分岐部７２に接続される。分岐部７２には分岐用ハーフミラー７２ａが設置されている。光源用光ファイバー７１が射出するレーザー光１６は分岐用ハーフミラー７２ａを照射する。分岐用ハーフミラー７２ａは描画用レーザー光１６ａの約１／１００００の光量の描画用レーザー光１６ａを透過させる。そして、分岐部７２は図示しない集光レンズを用いて描画用レーザー光１６ａを集光させて描画用光ファイバー７３に射出する。描画用光ファイバー７３は描画用レーザー光１６ａを走査光出力部９に導光し、描画用レーザー光１６ａは走査光出力部９を照射する。走査光出力部９は右目２ｅの視野内に位置するハーフミラー１０に向けて描画用レーザー光１６ａを走査して虚像を形成する。
【００９８】
分岐用ハーフミラー７２ａにて反射した報知用レーザー光１６ｂは図示しない集光レンズにより集光され報知用光ファイバー７４に入射される。報知用光ファイバー７４は報知用レーザー光１６ｂを可変式ＮＤフィルター３３まで導光し、報知用レーザー光１６ｂは可変式ＮＤフィルター３３を照射する。可変式ＮＤフィルター３３は報知用レーザー光１６ｂの光強度が強度判定値５５を超えるときには強度判定値５５と同じ光強度に減衰させて描画用報知部１２に出力する。この描画用報知部１２は右目２ｅの近くの基体部７０に設置されている。描画用報知部１２は入力された報知用レーザー光１６ｂを拡散させる。
【００９９】
画像表示装置６８には左側緑色光源２９、左側青色光源３０及び左側赤色光源３１が設置されている。左側の各色光源が出力するレーザー光１６は右側の各色光源が出力するレーザー光１６と同様の経路をたどるので詳細な説明を省略する。そして、走査光出力部９は左目２ｆの視野内に位置するハーフミラー１０に向けて描画用レーザー光１６ａを走査して虚像を形成する。分岐部７２にて分岐した報知用レーザー光１６ｂは左目２ｆの近くの基体部７０に設置された描画用報知部１２で拡散される。
【０１００】
上述したように、本実施形態によれば、以下の効果を有する。
（１）本実施形態によれば、表示制御装置６９と基体部７０とは光源用光ファイバー７１と配線とで接続されている。表示制御装置６９と基体部７０とを接続する光ファイバー及び電線はチューブ内に収納される。光ファイバーの本数が多くなるとチューブが太くなり目立つので好ましくない。本実施形態ではチューブを細くできるのでチューブを目立たせないようにすることができる。
【０１０１】
（第４の実施形態）
次に、画像表示装置の一実施形態について図９を用いて説明する。本実施形態が第１の実施形態と異なるところは、表示制御装置６が基体部３に設置されている点にある。尚、第１の実施形態と同じ点については説明を省略する。
【０１０２】
図９は画像表示装置の構造を示す模式平面図である。すなわち、本実施形態では図９に示すように、画像表示装置７７はつる部３ａ及び枠部３ｂからなる基体部３を備えている。そして、つる部３ａには表示制御装置７８が設置されている。表示制御装置７８は第１の実施形態における表示制御装置６と同様の機能を備えている。
【０１０３】
画像表示装置７７は基体部３と表示制御装置７８とが一体となった構造となっている。従って、表示制御装置７８を観察者２の胸ポケット等に収納しなくても良い為、画像表示装置７７を操作し易くすることができる。また、基体部３と表示制御装置７８との間には長いコードで接続されていないので、コードを収納する煩雑さをなくすことができる。
【０１０４】
（第５の実施形態）
次に、画像表示装置の一実施形態について図１０及び図１１を用いて説明する。本実施形態が第１の実施形態と異なるところは、描画用報知部１２に加えて撮影用報知部が設置されている点にある。撮影用報知部は撮像装置１１が撮影中であることを報知する。尚、第１の実施形態と同じ点については説明を省略する。
【０１０５】
図１０は画像表示装置の構造を示す電気制御ブロック図である。すなわち、本実施形態では図１０に示すように、画像表示装置８１は表示制御装置８２及び基体部８３を備えている。画像表示装置８１は光源駆動部２１を備え、光源駆動部２１には右側緑色光源２６、右側青色光源８４、右側赤色光源２８、左側緑色光源２９、左側青色光源８５及び左側赤色光源３１が接続されている。
【０１０６】
右側緑色光源２６及び左側緑色光源２９にはＮＤフィルターが内蔵されている。そして、発光する光量のうち約１／１００００の光量のレーザー光１６が出力される。右側青色光源８４、右側赤色光源２８、左側青色光源８５及び左側赤色光源３１からは発光する光量が総て射出される。
【０１０７】
右側青色光源８４が射出するレーザー光１６は第４ハーフミラー８６を照射する。第４ハーフミラー８６は右側青色光源８４が射出するレーザー光１６の約１／１００００の光量の描画用レーザー光１６ａを反射して進行方向を変える。第２レーザー光としての撮影報知用レーザー光１６ｃは直進して可変式ＮＤフィルター８７に繋がる光源側光ファイバー１５ｃを照射する。可変式ＮＤフィルター８７は可変式ＮＤフィルター３３と同様の機能を有し透過する撮影報知用レーザー光１６ｃの減衰率を制御する機能を備えている。可変式ＮＤフィルター８７は減光駆動部２３によって駆動され制御部２０によって制御される。
【０１０８】
撮像装置１１が撮影するとき、撮影報知用レーザー光１６ｃの光強度が強度判定値５５を越えないように制御部２０が減光駆動部２３を駆動して可変式ＮＤフィルター８７を制御する。撮像装置１１が撮影していないときには制御部２０は可変式ＮＤフィルター８７の減衰率を高くして可変式ＮＤフィルター８７を通過する撮影報知用レーザー光１６ｃの光強度を低くする。または、制御部２０は撮影報知用レーザー光１６ｃが可変式ＮＤフィルター８７を通過しないようにする。
【０１０９】
可変式ＮＤフィルター８７を通過した撮影報知用レーザー光１６ｃは集光レンズ８８を照射する。集光レンズ８８を通過した撮影報知用レーザー光１６ｃは撮影報知用光ファイバー１５ｄを照射する。撮影報知用光ファイバー１５ｄにおいて集光レンズ８８の反対側の端には報知部としての撮影用報知部８９が設置されている。この撮影用報知部８９は描画用報知部１２の近くの基体部８３に設置されている。撮像装置１１が撮影するとき撮影報知用光ファイバー１５ｄにより導光された撮影報知用レーザー光１６ｃは撮影用報知部８９にて拡散される。撮像装置１１が撮影しないときには撮影用報知部８９が暗くなる。撮影用報知部８９を見る人は観察者２が撮像装置１１にて撮影しているか否かを知ることができる。
【０１１０】
左側青色光源８５が出力するレーザー光１６が撮影報知用レーザー光１６ｃとなって撮影用報知部８９から拡散される経路は右側青色光源８４から撮影用報知部８９に出力される撮影報知用レーザー光１６ｃと同様であり説明を省略する。左側緑色光源２９〜左側赤色光源３１が射出するレーザー光１６が左目２ｆに到達する経路は右側緑色光源２６〜右側赤色光源２８が出力するレーザー光１６が右目２ｅに到達する経路と同様の経路であり、説明を省略する。
【０１１１】
撮像装置１１による撮影を行い、ハーフミラー１０への描画を行わない場合がある。このときには、光源駆動部２１は右側青色光源８４及び左側青色光源８５を駆動し、右側緑色光源２６、右側赤色光源２８、左側緑色光源２９及び左側赤色光源３１の駆動を停止する。そして、走査駆動部２２は描画用レーザー光１６ａを走査せず、右目２ｅ及び左目２ｆの視界に入らない場所を描画用レーザー光１６ａが照射するようにする。もしくは、走査駆動部２２はハーフミラー１０に照射する場所を右目２ｅ及び左目２ｆの視界の端としても良い。観察者２が気にならない場所を照射するのが好ましい。このときには、光源駆動部２１及び走査駆動部２２を駆動して撮影中を示す文字や図形を表示しても良い。または、描画用レーザー光１６ａの通過を制御する光スイッチを設けても良い。
【０１１２】
図１１は、基体部に設置された報知部の位置を説明するための模式図である。図１１に示すように、描画用報知部１２に重ねて撮影用報知部８９が設置されている。従って、撮影用報知部８９から射出される光は基体部８３の正面、右側側面、左側側面から確認することができる。
【０１１３】
上述したように、本実施形態によれば、以下の効果を有する。
（１）本実施形態によれば、撮像装置１１が撮影中であるか否かを撮影用報知部８９が撮影報知用レーザー光１６ｃを拡散させて報知する。撮影報知用レーザー光１６ｃを用いないときには、別途、報知用光源が必要となる。従って、撮像装置１１が撮影中であるかを報知するための光源を設置するときに比べて簡易な構造の装置にすることができる為画像表示装置８１を製造し易くすることができる。
【０１１４】
（第６の実施形態）
次に、画像表示装置の一実施形態について図１２を用いて説明する。本実施形態が第１の実施形態と異なるところは、描画用報知部１２を設置されている場所が異なっている点にある。尚、第１の実施形態と同じ点については説明を省略する。
【０１１５】
図１２は描画用報知部が設置された場所を説明するための模式平面図である。すなわち、図１２（ａ）に示すように、画像表示装置９２では枠部３ｂとつる部３ａとに描画用報知部１２が設置されている。枠部３ｂでは頭部２ａの額側の中央に描画用報知部１２が設置されている。この場所に設置されることにより描画用報知部１２を観察者２の正面側、頭頂側と側面側から見ることができる。
【０１１６】
つる部３ａでは後頭部側の左右に描画用報知部１２が設置されている。この場所に設置されることにより描画用報知部１２を観察者２の背面と側面から見ることができる。従って、描画用報知部１２は観察者２の前後左右上側に報知用レーザー光１６ｂを拡散させることができる。
【０１１７】
図１２（ｂ）示すように、画像表示装置９３では枠部３ｂとつる部３ａとに描画用報知部１２が設置されている。枠部３ｂでは左右の両側に描画用報知部１２が設置されている。この場所に設置されることにより描画用報知部１２を観察者２の正面側の中央、右、左側から見ることができる。
【０１１８】
つる部３ａでは前側の左右に描画用報知部１２が設置されている。この場所に設置されることにより描画用報知部１２を観察者２の左右の側面から見ることができる。従って、描画用報知部１２は観察者２の前側と左右側に報知用レーザー光１６ｂを拡散させることができる。
【０１１９】
図１２（ｃ）示すように、画像表示装置９４は支持部としての基体部９５を備え、基体部９５は枠部９５ａ、第１巻付部９５ｂ及び第２巻付部９５ｃにより構成されている。第１巻付部９５ｂは枠部９５ａの左側の端に接続され観察者２の図中左側の頭部２ａに沿って配置される。同様に、第２巻付部９５ｃは枠部９５ａの図中右側の端に接続され観察者２の図中右側の頭部２ａに沿って配置される。頭部２ａの後ろ側では第１巻付部９５ｂと第２巻付部９５ｃとが重ねて配置される。第１巻付部９５ｂと第２巻付部９５ｃとには面ファスナーが設置され、第１巻付部９５ｂと第２巻付部９５ｃとは貼り付けと剥離とを繰り返すことができる。尚、第１巻付部９５ｂと第２巻付部９５ｃとの結合は面ファスナーに限らず、フックやボタン等を用いても良い。
【０１２０】
枠部９５ａの頭頂側の左右には描画用報知部１２が設置されている。この場所に設置されることにより描画用報知部１２は観察者２の正面側の中央、右側、左側に報知用レーザー光１６ｂを拡散させることができる。第２巻付部９５ｃでは頭部２ａの後ろ側に描画用報知部１２が設置されている。この場所に設置されることにより描画用報知部１２は観察者２の後ろ側と左右の側面に報知用レーザー光１６ｂを拡散させることができる。従って、描画用報知部１２は観察者２の前後側と左右側に報知用レーザー光１６ｂを拡散させることができる。
【０１２１】
（第７の実施形態）
次に、画像表示装置の一実施形態について図１３を用いて説明する。本実施形態が第１の実施形態と異なるところは、描画用報知部１２の構造が異なっている点にある。尚、第１の実施形態と同じ点については説明を省略する。
【０１２２】
図１３は描画用報知部の構造を示す模式側断面であり、図１３（ａ）、図１３（ｂ）、図１３（ｃ）はそれぞれ異なる形態を示している。すなわち、図１３（ａ）に示すように、報知部としての描画用報知部９８は円筒状の基部９９を備え、基部９９は図中上下方向に貫通する孔が形成されている。その孔に報知用光ファイバー１５ａが挿入され固定されている。報知用光ファイバー１５ａから図中上側に向けて報知用レーザー光１６ｂが射出される。報知用光ファイバー１５ａの図中上側には光拡散部１００が設置されている。光拡散部１００は光透過性の材料により円柱形に形成され、内部に気泡が存在している。気泡の濃度は報知用光ファイバー１５ａから離れるに従って高い濃度となっている。尚、気泡の代わりに光を反射する粒を内在させても良い。この粒には金属の粒や金属の薄膜を細かく裁断したものを用いることができる。
【０１２３】
報知用レーザー光１６ｂは光拡散部１００を通過するとき進行方向が拡散する。光拡散部１００を覆って外装部１０１が設置されている。外装部１０１は有底円筒形状をしており光を透過させる。従って、報知用レーザー光１６ｂは外装部１０１を通過して拡散する。
【０１２４】
図１３（ｂ）に示すように、報知部としての描画用報知部１０２は円筒状の基部１０３を備え、基部１０３は図中上下方向に貫通する孔が形成されている。その孔に報知用光ファイバー１５ａが挿入され固定されている。報知用光ファイバー１５ａから図中上側に向けて報知用レーザー光１６ｂが射出される。報知用光ファイバー１５ａの図中上側には空間を介して光拡散部１０４が設置されている。光拡散部１０４は光透過性の材料により円錐形に形成され、表面に微小な点からなる模様１０４ａが設置されている。模様１０４ａは光を反射して拡散する顔料を用いて印刷等の方法を用いて設置されればよく、顔料にはシルバーホワイト、チタニウムホワイト、ジンクホワイト等を用いることができる。
【０１２５】
報知用レーザー光１６ｂは光拡散部１０４の模様１０４ａにて反射し拡散する。光拡散部１０４を通過する報知用レーザー光１６ｂはそのまま直進する。光拡散部１０４を覆って外装部１０５が設置されている。外装部１０５は有底円筒形状をして光を透過させる。従って、報知用レーザー光１６ｂは外装部１０５を通過して拡散する。
【０１２６】
図１３（ｃ）に示すように、報知部としての描画用報知部１０６は円筒状の基部１０７を備え、基部１０７は図中上下方向に貫通する孔が形成されている。その孔に報知用光ファイバー１５ａが挿入され固定されている。報知用光ファイバー１５ａから図中上側に向けて報知用レーザー光１６ｂが射出される。報知用光ファイバー１５ａの図中上側には光拡散部１０８が設置されている。光拡散部１０８は光透過性の材料により円柱形に形成され、表面に微小な点からなる模様１０８ａが設置されている。模様１０８ａは光を反射して拡散する顔料を印刷等の方法を用いて設置されればよく、顔料にはシルバーホワイト、チタニウムホワイト、ジンクホワイト等を用いることができる。
【０１２７】
報知用レーザー光１６ｂは光拡散部１０８の模様１０８ａにて反射し拡散する。光拡散部１０８に進入する報知用レーザー光１６ｂは光拡散部１０８の表面にて反射する。そして、模様１０８ａを照射するときに拡散する。光拡散部１０８を覆って外装部１０９が設置され、光拡散部１０８と外装部１０９との間は空気が充填された空間となっている。外装部１０９は有底円筒形状をして光を透過させる。従って、報知用レーザー光１６ｂは外装部１０９を通過して拡散する。
【０１２８】
上述したように、本実施形態によれば、以下の効果を有する。
（１）本実施形態によれば、描画用報知部９８、描画用報知部１０２及び描画用報知部１０６は報知用光ファイバー１５ａから射出される報知用レーザー光１６ｂを拡散する。従って、四方から見て描画用報知部９８、描画用報知部１０２及び描画用報知部１０６が点灯しているか消灯しているかを容易に確認することができる。
【０１２９】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、枠部３ｂにハーフミラー１０が設置された。ハーフミラー１０に変えて全反射ミラーを設置しても良い。観察者２は画像表示装置が描画する映像を集中して鑑賞することができる。この場合にも描画用報知部１２は描画中であることを報知することができる。
【０１３０】
（変形例２）
前記第１の実施形態では、枠部３ｂの中央に撮像装置１１が１つのみ設置された。枠部３ｂに撮像装置１１を２つ設置してステレオ画像を撮影してもよい。撮像装置１１は離して設置するのが好ましい。より立体的に撮影することができる。マイクロフォン１１ａも２つ設置してステレオ録音しても良い。空間的な広がりを感じさせる音を録音することができる。
【０１３１】
（変形例３）
前記第１の実施形態では、描画用報知部１２の形状は円柱形であった。描画用報知部１２の形状は特に限定されず、例えば球形、紡錘形、直方体、立方体、多面体でもよい。画像表示装置１の外観に合った形状にしても良い。これにより、外観を多様化することができる。
【０１３２】
（変形例４）
前記第１の実施形態では、右側緑色光源２６、右側青色光源２７及び右側赤色光源２８を設置してカラー画像を描画した。これに限らず、白黒画像を描画しても良い。光源やミラー等の構成要素を減らすことができるので小型軽量にすることができる。
【０１３３】
（変形例５）
前記第１の実施形態では、右目２ｅ用の光源と左目２ｆ用の光源を設置してステレオ画像を描画した。右目２ｅと左目２ｆとに同じ画像を描画しても良い。光源やミラー等の構成要素を減らすことができるので小型軽量にすることができる。
【０１３４】
（変形例６）
前記第１の実施形態では、描画中に描画用報知部１２を点灯して描画中であることを報知した。撮像装置１１を用いて撮影するときには描画用報知部１２を点滅させて撮影中であることを報知してもよい。さらに、描画と撮影とを両方行うときには描画用報知部１２を点滅させる周波数を変えたり点滅させるパターンを変えても良い。１つの描画用報知部１２にて描画中、撮影中、描画かつ撮影中の各状況を報知することができる。
【０１３５】
（変形例７）
前記第１の実施形態では、赤色光源が出力するレーザー光１６を用いて描画用報知部１２を点灯させた。赤色光源に限らず、青色、緑色のレーザー光１６を用いて描画用報知部１２を点灯させても良い。他にも、２色のレーザー光１６を合わせても良く、３色のレーザー光１６を合わせても良い。描画用報知部１２から拡散される光の色の種類を多くすることができるので報知するのに最適な色にすることができる。
【０１３６】
（変形例８）
前記第１の実施形態では、反射膜を用いてレーザー光１６を分岐させた。レーザー光１６を分岐される方法には他の方法を用いても良い。例えば、屈折率のことなる材質の界面にレーザー光１６を入射させる角度を変えて一部のレーザー光１６を反射または透過させても良い。他にも、回折格子を組み合わせてレーザー光１６を分岐させても良い。
【０１３７】
（変形例９）
前記第１の実施形態では、可変式ＮＤフィルター３３が報知用レーザー光１６ｂの光強度が強度判定値５５を越えないように制御した。描画用報知部１２から拡散される報知用レーザー光１６ｂの光強度が変動してもよいときには、可変式ＮＤフィルター３３の代わりに減衰率が固定されたＮＤフィルターを用いても良い。減衰率を制御するための部材が不要となるので、画像表示装置１を製造し易くすることができる。
【０１３８】
（変形例１０）
前記第１の実施形態では、基体部３を耳２ｂと鼻２ｄとに載せて基体部３を頭部２ａに固定した。枠部３ｂを頭部２ａに固定する方法はこれに限らない。例えば、帽子に枠部３ｂを設置しても良い。他にも、枠部３ｂから頭部２ａの頭頂を通って後頭部に延びる支持部を設置しても良い。枠部３ｂを設置し易い方法を選択しても良い。
【０１３９】
（変形例１１）
前記第１の実施形態では、描画用レーザー光１６ａの光強度は報知用レーザー光１６ｂの光強度より弱い光強度とした。描画用レーザー光１６ａの光強度は報知用レーザー光１６ｂの光強度と同じでも良く、強い光強度でも良い。描画が見やすく報知するために射出された光が見やすいように光強度を変えても良い。
【０１４０】
（変形例１２）
前記第３の実施形態では、右側緑色光源２６〜左側赤色光源３１が表示制御装置６９に設置された。右側緑色光源２６〜左側赤色光源３１を基体部７０に設置しても良い。表示制御装置６９と基体部７０との間に光源用光ファイバー７１が存在せず、配線だけになるので、ケーブルを曲げやすくすることができる。
【０１４１】
（変形例１３）
前記第２の実施形態における分岐部５９及び分岐部６２は、第１の実施形態における第１ハーフミラー３２の代わりに用いた。他にも、分岐部５９及び分岐部６２は第３の実施形態における第１ハーフミラー３２の代わりに用いてもよい。他にも、分岐部５９及び分岐部６２は第５の実施形態における第１ハーフミラー３２の代わりに用いてもよい。さらに、分岐部５９及び分岐部６２は第５の実施形態における第４ハーフミラー８６の代わりに用いてもよい。
【０１４２】
（変形例１４）
前記第５の実施形態における撮影用報知部８９は、第３の実施形態における基体部７０に適用しても良い。この場合にも同様に、撮像装置１１が撮影中であることを報知することができる。
【０１４３】
（変形例１５）
前記第７の実施形態における描画用報知部９８、描画用報知部１０２及び描画用報知部１０６は第１の実施形態における描画用報知部１２以外にも撮影用報知部８９の代わりに適用することができる。そして、第２の実施形態〜第６の実施形態の各形態にも適用することができる。
【符号の説明】
【０１４４】
１，６８，７７，８１，９２，９３，９４…画像表示装置、２ａ…頭部、３，９５…支持部としての基体部、９…描画部としての走査光出力部、１０…描画部としてのハーフミラー、１１…撮像装置、１２，９８，１０２，１０６…報知部としての描画用報知部、１５ａ…第２光ファイバーとしての報知用光ファイバー、１５ｂ…第１光ファイバーとしての描画用光ファイバー、１６…レーザー光、１６ａ…第１レーザー光としての描画用レーザー光、１６ｂ…第２レーザー光としての報知用レーザー光、１６ｃ…第２レーザー光としての撮影報知用レーザー光、２０…制御部、２８…光源としての右側赤色光源、３２…分岐部としての第１ハーフミラー、３３…減光部としての可変式ＮＤフィルター、３５…分岐部としての第２ハーフミラー、３６…分岐部としての第３ハーフミラー、５９…分岐部、６１…光源用光ファイバー、６４…第２光ファイバーとしての報知用接続光ファイバー、６５…第１光ファイバーとしての描画用接続光ファイバー、８９…報知部としての撮影用報知部。
【図１】
2014145889.tif 000003
【図２】
2014145889.tif 000004
【図３】
2014145889.tif 000005
【図４】
2014145889.tif 000006
【図６】
2014145889.tif 000007
【図７】
2014145889.tif 000008
【図８】
2014145889.tif 000009
【図９】
2014145889.tif 000010
【図１０】
2014145889.tif 000011
【図１１】
2014145889.tif 000012
【図１２】
2014145889.tif 000013
【図１３】
2014145889.tif 000014
【図５】
2014145889.tif 000015